(57)【要約】      （修正有）【課題】簡単かつ耐久性の高い構造のコーナーポストを備えた包装箱を提供する。【解決手段】包装箱は，矩形状の底面１０と，底面の周囲に立設する前後左右の側面２０，３０，４０，５０を有している。前後の側面は，外壁２１，３１と，内壁２２，３２と，斜板２３，３３と，折込板２４，３４と，を備えている。外壁は，底面に折線を介して連接している。内壁は，外壁に折線を介して連接しており，包装箱の内側に向かって折り返される。斜板は，内壁の左右両側に折線を介して連接しており，左右の側面に掛かるように斜めに折り曲げられる。折込板は，斜板に折線を介して連接しており，当該斜板とのなす角が鋭角となる方向に向かって折り込まれる。これにより，本発明の包装箱は，三角筒状のコーナーポストが四隅に形成される。【選択図】図２
2015016889.tif 000002
【特許請求の範囲】
【請求項１】
矩形状の底面（１０）と，
前記底面（１０）の周囲に立設する前後左右の側面（２０，３０，４０，５０）と，
を有するトレイ型の包装箱であって，
前後の側面（２０，３０）は，それぞれ，
前記底面（１０）に折線を介して連接した外壁（２１，３１）と，
前記外壁（２１，３１）に折線を介して連接し，包装箱の内側に向かって折り返される内壁（２２，３２）と，
前記内壁（２２，３２）の左右両側に折線を介して連接し，左右の側面（４０，５０）に掛かるように斜めに折り曲げられる斜板（２３，３３）と，
前記斜板（２３，３３）に折線を介して連接し，当該斜板（２３，３３）とのなす角が鋭角となる方向に向かって折り込まれる折込板（２４，３４）と，を備え，
これにより，三角筒状のコーナーポストが四隅に形成される
包装箱。
【請求項２】
前記斜板（２３，３３）は，斜めに折り曲げられたときに，前記折込板（２４，３４）との境界部分が，前記左右の側面（４０，５０）に当接する長さで形成されており，
前記折込板（２４，３４）は，折り込まれたときに，その先端部分が，前記前後の側面（２０，３０）に当接する長さで形成されている
請求項１に記載の包装箱。
【請求項３】
前記斜板（２３，３３）と前記折込板（２４，３４）の境界に形成された折線は，前記折込板（２４，３４）を，当該斜板（２３，３３）とのなす角が鈍角となる方向よりも，当該斜板（２３，３３）とのなす角が鋭角となる方向に折り曲げ易いように加工された折線である
請求項１又は請求項２に記載の包装箱。
【請求項４】
前記折込板（２４，３４）の横幅は，前記斜板（２３，３３）の横幅に対して，６０％〜８０％の値である
請求項１から請求項３のいずれかに記載の包装箱。
【発明の詳細な説明】
【技術分野】
【０００１】
本発明は，青果物などを収容するのに適したトレイ型の包装箱に関する。具体的に説明すると，本発明は，略矩形状の底面の四隅にコーナーポストが形成されることで，積み上げ強度が向上したトレイ型の包装箱に関するものである。
【背景技術】
【０００２】
従来から，トレイ型の包装箱に，林檎や桃などの青果物を収容して搬送することが知られている。また，このような包装箱は，搬送時や保管時において，複数個積み上げて使用されることが一般的である。ただし，包装箱自体の積み上げ強度が弱いものであると，包装箱を複数個積み上げた際に，その包装箱内に収容されている青果物が押圧されて傷む恐れがある。
【０００３】
このため，従来から，トレイ型の包装箱にコーナーポストを形成し，積み上げ強度を向上させる試みがなされている。コーナーポストは，底面の四隅に形成される三角筒状の柱である。包装箱の四隅にコーナーポストを形成することで，包装箱を複数個積み上げた際に，前後左右の側面に加わる荷重を軽減することができる。その結果，包装箱の積み上げ強度が向上する。さらに，コーナーポストにより，積み上げた包装箱が積みずれによって，下側の包装箱内部に落ち込むことが防止できる。ここで，コーナーポストを有する包装箱としては，例えば，特許文献１や特許文献２に開示されたものが知られている。
【０００４】
特許文献１に開示された包装箱は，底面に連接した前後一対の端板と，端板の左右両側に連接した係合片と，係合片に連接した斜板とによって，コーナーポストを形成することとしている。すなわち，特許文献１の包装箱では，端板に係止孔が形成され，斜板に係止舌片が形成されており，端板の係止孔に斜板の係止舌片を差し込むことができる構造となっている。これにより，特許文献１の包装箱では，端板と，係合片と，斜板とによって，三角筒状のコーナーポストが形成される。
【０００５】
また，特許文献２に開示された包装箱は，底面版に連接した前後一対の端面版と，底面版に連接した左右一対の側面板と，端面板の左右両側に連接した隅板と，隅板に連接した添当板とによって，コーナーポストを形成することとしている。すなわち，前後一対の端面板から延びる隅板を側面板にかけて斜めに折り曲げ，隅板の先端から延びる添当板を側面板の内面に沿わせて，その添当板の先端部を底面板に係合させることができる構造となっている。これにより，特許文献２の包装箱では，端面版と，側面板と，隅板と，添当板とによって，三角筒状のコーナーポストが形成される。
【先行技術文献】
【特許文献】
【０００６】
【特許文献１】実用新案出願公開  平３−８７６２７号公報
【特許文献２】特開２００４−７５１７５号公報
【発明の概要】
【発明が解決しようとする課題】
【０００７】
しかしながら，特許文献１に開示された包装箱と特許文献２に開示された包装箱は，どちらも，コーナーポストを形成する板を，底面や端面に差し込んだり係合させたりする必要があった。すなわち，特許文献１の包装箱では，端板の係止孔に斜板の係止舌片を差し込むことでコーナーポストを形成することとしている。また，特許文献２の包装箱では，添当板の先端部を底面板に係合させることでコーナーポストを形成することとしている。しかし，コーナーポストを形成するにあたり，板を底面や端面に差し込んだり係合させたりする必要があると，トレイ型の包装箱の組み立て作業が煩雑なるという問題があった。特に，青果物などの搬送作業では，青果物を包装箱に迅速に収容して搬送することが求められるが，包装箱の組み立てが煩雑であると，この搬送作業の作業性が悪くなり，青果物などの搬送作業に遅れが生じるという事態も想定される。
【０００８】
また，特許文献１や特許文献２に開示された包装箱のように，コーナーポストを形成するための板を，側面や底面に設けられた孔部に差し込む構造では，包装箱の組み立てや解体を繰り返し行うことが難しいという問題もある。すなわち，包装箱を段ボールなどで形成するような場合，コーナーポストを形成する板に設けられた突起を側面の孔部に繰り返し抜き差ししているうちに，突起と孔部の形状が崩れたり強度が低下することが考えられる。そうすると，コーナーポストを形成する板を側面などに適切に固定することができなくなり，結果として，コーナーポストの形成作業が困難になる。このため，特許文献１や特許文献２に開示された包装箱の構造は，耐久性が低く，繰り返して何度も使用することが難しいという問題があった。
【０００９】
このため，現在では，コーナーポストを簡単に形成することができ，しかもコーナーポストの耐久性が高いトレイ型の包装箱が求められている。
【課題を解決するための手段】
【００１０】
そこで，本発明の発明者らは，従来発明の問題を解決する手段について鋭意検討した結果，コーナーポストを，前後の側面から延設した斜板と，この斜板から延設しコーナーポストの内方に折り込まれる折込板とによって形成するという構造を発案した。すなわち，前後の側面に設けられた斜板を，左右の側面に掛かるように斜めに折り曲げ，斜板の先端部分に設けられた折込板を，斜板とのなす角が鋭角になる方向に折り込む。これにより，斜板や折込板を，底面や側面に係合させなくても，折込板を内側に折り込むだけで，簡単にコーナーポストを形成することができるようになる。その結果，トレイ型の包装箱の組み立てが容易になると共に，包装箱の四隅に形成されたコーナーポストの耐久性も向上する。そして，本発明者らは，上記知見に基づけば，従来技術の課題を解決できることに想到し，本発明を完成させた。
具体的に説明すると，本発明は以下の構成を有する。
【００１１】
本発明は，トレイ型の包装箱に関する。本発明の包装箱は，矩形状の底面１０と，底面１０の周囲に立設する前後左右の側面２０，３０，４０，５０を有している。
また，前後の側面２０，３０は，外壁２１，３１と，内壁２２，３２と，斜板２３，３３と，折込板２４，３４と，を備えている。
外壁２１，３１は，底面１０に折線を介して連接している。
内壁２２，３２は，外壁２１，３１に折線を介して連接しており，包装箱の内側に向かって折り返される。すなわち，前後の側面２０，３０は，外壁２１，３１と内壁２２，３２によって，一部が二重構造となっている。
斜板２３，３３は，内壁２２，３２の左右両側に折線を介して連接しており，左右の側面４０，５０に掛かるように斜めに折り曲げられる。
折込板２４，３４は，斜板２３，３３に折線を介して連接しており，当該斜板２３，３３とのなす角が鋭角となる方向に向かって折り込まれる。
これにより，本発明の包装箱は，三角筒状のコーナーポストが四隅に形成される。
【００１２】
上記構成のように，本発明の包装箱は，三角筒状のコーナーポストを，前後の側面２０，３０から左右の側面４０，５０へと向かって斜めに折り曲げられる斜板２３，３３と，この斜板２３，３３とのなす角が鋭角になる折込板２４，３４とによって形成する。すなわち，折込板２４，３４を，左右の側面４０，５０の内面に沿って当接させることで，折込板２４，３４の位置が固定される。また，折込板２４，３４の位置が固定されることで，斜板２３，３３の位置も固定される。このため，本発明の包装箱の構造では，斜板２３，３３や折込板２４，３４を，底面や側面に差し込んだり係合させたりすることなく，斜板２３，３３と折込板２４，３４を折り曲げるという簡単な作業だけで，コーナーポストを形成することが可能である。よって，包装箱の組立作業の効率が上がる。さらに，本発明の包装箱の構造では，斜板２３，３３や折込板２４，３４を，底面や側面に差し込んだり係合させる必要がないため，コーナーポストの耐久性が向上し，コーナーポストの組み立てと解体作業を繰り返し行うことができるようになる。
【００１３】
本発明の包装箱において，斜板２３，３３は，斜めに折り曲げられたときに，折込板２４，３４との境界部分が，左右の側面４０，５０に当接する長さで形成されていることが好ましい。また，本発明の包装箱において，折込板２４，３４は，折り込まれたときに，その先端部分が，前後の側面２０，３０に当接する長さで形成されていることが好ましい。
【００１４】
上記構成のように，コーナーポストを組み立てた際に，斜板２３，３３が左右の側面４０，５０に当接し，折込板２４，３４が前後の側面２０，３０に当接する長さとなっていることで，コーナーポストの形状が安定する。従って，包装箱の運搬時において，意図せずコーナーポストが展開してしまうような事態を防止できる。また，コーナーポストの形状が安定することで，包装箱の積み上げ強度も向上する。
【００１５】
本発明の包装箱において，斜板２３，３３と折込板２４，３４の境界に形成された折線（Ｆ）は，折込板２４，３４を，斜板２３，３３とのなす角が鋭角となる方向（内方）に折り曲げ易いように加工されたものであることが好ましい。すなわち，折線（Ｆ）は，折込板２４，３４を，斜板２３，３３とのなす角が鈍角となる方向（外方）よりも，斜板２３，３３とのなす角が鋭角となる方向（内方）に向かって折り曲げやすいように形成されている。
【００１６】
上記構成のように，斜板２３，３３と折込板２４，３４の境界に形成された折線（Ｆ）が，コーナーポストの内方に向かって折り曲げ易いものであることにより，コーナーポストをよりスムーズに形成できるようになる。
【００１７】
本発明の包装箱において，折込板２４，３４の横幅は，包装箱と内容物の形状に合わせて任意に決定することが可能である。コーナーポストの組立て時の安定性からすれば，折込板２４，３４は，若干長めにとることが望ましいが，折込板２４，３４と斜板２３，３３のなす角が極端な鋭角となってしまうと積み上げ強度や積み上げた時の安定性といったコーナーポストの機能が損なわれる。一般的には，折込板２４，３４の横幅は，斜板２３，３３の横幅に対して，６０％〜８０％の値であることが好ましい。
【００１８】
上記構成のように，折込板２４，３４の横幅が，斜板２３，３３の横幅の６０％〜８０％であることにより，包装箱の四隅に形成されるコーナーポストの形状が，略直角二等辺三角形の筒状に近づくこととなる。この点，コーナーポストの形状を略直角二等辺三角形の筒状とすることで，コーナーポストの形状が安定するとともに，包装箱の積み上げ強度や，積み上げ時の安定性が向上する。
【発明の効果】
【００１９】
本発明によれば，コーナーポストを簡単に形成することができ，しかもコーナーポストの耐久性が高いトレイ型の包装箱を提供することができる。
【図面の簡単な説明】
【００２０】
【図１】図１は，本発明に係る包装箱の例を示す展開図である。
【図２】図２は，本発明に係る包装箱の組立状態の例を示す斜視図である。
【図３】図３は，包装箱のコーナーポストの組み立て方の例を示している。
【図４】図４は，コーナーポストを拡大して示した平面図である。
【図５】図５は，本発明の好ましい実施形態に係る包装箱を示している。
【発明を実施するための形態】
【００２１】
以下，図面を用いて本発明を実施するための形態について説明する。本発明は，以下に説明する形態に限定されるものではなく，以下の形態から当業者が自明な範囲で適宜修正したものも含む。
なお，本願明細書において，「前後方向」とは，前側面２０と後側面３０を結ぶ方向（図１の上下方向）を意味する。また，「左右方向」とは，左側面４０と右側面５０を結ぶ方向（図１の左右方向）であり，前後方向と平面的に直交する方向を意味する。
また，「Ａ〜Ｂ」とは，「Ａ以上Ｂ以下」であることを意味する。
【００２２】
図１は，本発明の一実施形態に係る包装箱１００を示した展開図である。図２は，図１に示された包装箱１００を組み立てた状態を示す斜視図である。図１及び図２に示されるように，本発明の包装箱１００は，各折線に従って折り曲げて組み立てることで，天面部分が開放されたトレイ型となる。本実施形態において，包装箱１００は，一枚の段ボールシートを型抜して成型したものであることが好ましい。ここで，図１においては，包装箱１０を構成する段ボールシートの目方向を，概念的に，小円の中に示している。すなわち，本実施形態において，段ボールシートの目方向は，コーナーポストの上下方向（高さ方向）と一致する。これにより，本実施形態では，コーナーポストの積み上げ強度を向上させている。ただし，包装箱１００は，段ボールシート以外にも，厚紙やプラスチックシート等によって形成することも可能である。
【００２３】
図１及び図２に示されるように，トレイ型の包装箱１００は，略矩形状の底面１０と，底面の周囲に立設する前後左右の側面２０，３０，４０，５０とを，基本的な構成としている。図２に示されるように，前後の一対の前側面２０と後側面３０とは，組み立て時において，互いに対向する面である。また，左右一対の左側面４０と右側面５０とは，組み立て時において，互いに対向する面である。なお，本実施形態では，前後の側面２０，３０の幅が，左右の側面４０，５０の幅よりも大きくなっているが，本発明は，この形態に限定されるものではない。すなわち，本発明では，前後の側面２０，３０の幅が，左右の側面４０，５０の幅よりも小さくなっていてもよい。
【００２４】
図１の展開図に示されるように，左右一対の左側面４０と右側面５０は，それぞれ，底面１０の左右両側に連接している。左右の側面４０，５０と底面１０の境界には，折線（Ａ）が設けられている。折線（Ａ）は，前後方向に延びる直線状の折線である。このため，左右の側面４０，５０は，折線（Ａ）で直角に折り曲げることで，底面１０の左右両側に立設するようになっている。また，左側面４０と右側面５０のそれぞれには，前後の両端部分に，一対の挟込板４１，５１が連接している。すなわち，左側面４０には，一対の左挟込板４１が連接し，右側面５０には，一対の右挟込板５１が連接している。左右の側面４０，５０と一対の挟込板４１，５１の境界には，折線（Ｂ）が設けられている。折線（Ｂ）は，左右方向に延びる直線状の折線である。このため，左右の側面４０，５０から延びる挟込板４１，５１は，組み立て時において，折線（Ｂ）において直角に折り曲げられる。なお，挟込板４１，５１は，組み立て時において，前後の側面２０，３０の一部となる。
【００２５】
他方，図２の斜視図に示されるように，左右一対の前側面２０と後側面３０は，それぞれ，底面１０の前後両側に立設している。この前側面２０と後側面３０とは，図１の展開図に示されるように，それぞれ，複数の板部によって構成される。すなわち，図１に示されるように，前側面２０は，前外壁２１と前内壁２２を有する。同様に，後側面３０は，後外壁３１と，後内壁３２を有する。
【００２６】
図１に示されるように，前後の外壁２１，３１は，それぞれ，底面１０の前後両側に連接している。前後の外壁２１，３１と底面１０の境界には，折線（Ｃ）が設けられている。折線（Ｃ）は，左右方向に延びる直線状の折線である。このため，外壁２１，３１は，折線（Ｃ）で直角に折り曲げることで，底面１０の前後両側に立設するようになっている。また，図１に示されるように，前後の外壁２１，３１の前後方向外側には，前後の内壁２２，３２が連接している。内壁２２，３２と外壁２１，３１の境界には，折線（Ｄ）が設けられている。折線（Ｄ）は，左右方向に延びる直線状の折線である。また，本発明において，折線（Ｄ）は，二本の平行な罫線によって形成されたものであってもよい。内壁２２，３２は，折線（Ｄ）に沿って，包装箱１００の内側に向かって折り返される。これにより，内壁２２，３２と外壁２１，３１とによって，前後の側面２０，３０は，二重構造となる。また，内壁２２，３２を折り返す際に，この内壁２２，３２と外壁２１，３１の間には，左右の側面４０，５０に延設されている挟込板４１，５１が挟み込まれるようになっている。これにより，左右の側面４０，５０に延設された挟込板４１，５１は，前後の側面２０，３０の一部となる。このため，前後の側面２０，３０は，挟込板４１，５１が存在する部分において，部分的に三重構造となる。
【００２７】
また，図１に示されるように，前後の内壁２２，３２の先端縁には，一又は複数の凸部２５，３５が形成されていてもよい。この場合，底面１０には，前後の内壁２２，３２に形成された凸部２５，３５と対応する位置に，ロック孔１１が形成されている。これにより，内壁２２，３２を，外壁２１，３１との境界位置（折線Ｄ）において折り返すと，内壁２２，３２の凸部２５，３５が，底面１０のロック孔１１に嵌り込むようになる。その結果，内壁２２，３２が底面１０に係合して，内壁２２，３２の折り返し状態がロックされる。また，図１に示されるように，内壁２２，３２には，指掛け孔２６，３６が形成されていてもよい。
【００２８】
また，図１に示されるように，外壁２１，３１と内壁２２，３２の境界部分には，外壁２１，３１から上方に向かって突出したタブ２７，３７が，一又は複数箇所に設けられていてもよい。タブ２７，３７は，外壁２１，３１から折線（Ｄ）を越えて内壁２２，３２の一部を略コの字型に切り抜くことで形成される。このため，内壁２２，３２を折線（Ｄ）において折り返すことで，内壁２２，３２の一部分が，タブ２７，３７として，上方に向かって突出する。また，タブ２７，３７は，底面１０に形成されたロック孔１１の上方に形成されることが好ましい。そして，図１に示されるように，ロック孔１１は，底面１０から，折線（Ｃ）を越えて，外壁２１，３１までをくり貫いて形成したものであることが好ましい。これにより，複数の包装箱１００を積み上げた際に，下方に位置する包装箱１００のタブ２７，３７が，上方に位置する包装箱１００のロック孔１１に係合するようになる。その結果，複数の包装箱１００を安定的に積み上げることができる。
【００２９】
図１に示されるように，本実施形態において，前後の内壁２２，３２の横幅は，前後の外壁２１，３１の横幅よりも狭くなっている。すなわち，内壁２２，３２の左右の両端縁は，外壁２１，３１の左右の両端縁よりも，左右方向の内側に位置している。この内壁２２，３２の両端縁と外壁２１，３１の両端縁の間の領域に，コーナーポストが形成される。
【００３０】
図１の展開図に示されるように，前後の内壁２２，３２のそれぞれの左右両端には，斜板２３，３３が連接している。すなわち，前内壁２２には，前斜板２３が連接し，後内壁３２には，後斜板３３が連接している。また，内壁２２，３２と斜板２３，３３の境界には，折線（Ｅ）が設けられている。折線（Ｅ）は，前後方向に延びる直線状の折線である。各斜板２３，３３は，左右の側面４０，５０が存在する方向に向かって延び，この左右の側面４０，５０に寄り掛かるように，斜めに折り曲げられる板である。さらに，各斜板２３，３３の左右方向の外側には，それぞれ，折込板２４，３４が連接している。すなわち，前斜板２３には，前折込板２４が連接し，後斜板３３には，後折込板３４が連接している。また，各斜板２３，３３と各折込板２４，３４の境界には，折線（Ｆ）が設けられている。折線（Ｆ）は，折線（Ｅ）と平行に，前後方向に延びる直線状の折線である。折込板２４，３４は，斜板２３，３３とのなす角が鋭角となる方向（コーナーポストの内方）に向かって折り込まれる。斜板２３，３３及び折込板２４，３４の構造と組み立て方については，詳しくは後述する。
【００３１】
続いて，図１に示された展開状態から，図２に示された立体状態へと，包装箱１００を組み立てる手順について説明する。包装箱１００は，基本的に，図１に示された折線（Ａ）〜折線（Ｆ）を，アルファベット順に折り曲げることで組み立てることができる。
【００３２】
まず，折線（Ａ）に沿って，左右一対の左側面４０と右側面５０を直角に折り曲げて，底面１０の左右両側において起立させる。次に，折線（Ｂ）に沿って，各挟込板４１，５１を，直角に折り曲げる。その後，折線（Ｃ）に沿って，前外壁２１と後外壁３１を直角に折り曲げて底面１０の前後両側において起立させる。その後，折線（Ｄ）に沿って，前内壁２２と後内壁３２を，包装箱１００の内方に向かって折り返す。このとき，外壁２１，３１と内壁２２，３２の間に，各挟込板４１，５１を挟み込む。これにより，外壁２１，３１と，内壁２２，３２と，挟込板４１，５１によって，前側面２０と後側面３０とが形成される。
【００３３】
そして，その後，折線（Ｅ）及び折線（Ｆ）に沿って，前後の側面２０，３０を形成する内壁２２，３２に連接された斜板２３，３３と，この斜板２３，３３に連接された折込板２４，３４を折り曲げることで，コーナーポストを形成する。ここで，図３には，斜板２３，３３と折込板２４，３４の折り曲げ方の一例が示されている。すなわち，図３（ａ）に示されるように，折線（Ｅ）に沿って，前後の側面２０，３０から延びる斜板２３，３３を，左右の側面４０，５０に引っ掛かるように斜めに折り曲げる。そして，斜板２３，３３が斜めに折り曲がっている状態において，折線（Ｆ）に沿って，斜板２３，３３と折込板２４，３４のなす角が鋭角となる方向に，折込板２４，３４を折り込む。すなわち，折込板２４，３４を，コーナーポストの内方に向かって巻き込む。これにより，折込板２４，３４の外面が，左右の側面４０，５０の内面に面接触するようになる。なお，ここにいう，「外面」とは，図１に示した展開図において見えている側の面（内面）とは反対側の面を意味する。換言すると，折込板２４，３４の「外面」とは，一枚のシート部材から形成される包装箱の展開状態において，底面１０のうちの地面と接触する側の面（外面）と，同じ側の面を意味している。このように，本発明では，図３（ｂ）に示されるように，折込板２４，３４を，斜板２３，３３とのなす角が鋭角になる方向に折り曲げることで，折込板２４，３４の外面と，左右の側面４０，５０の内面が面接触する。これにより，折込板２４，３４の位置が固定され，それに伴って，斜板２３，３３の位置が固定される。そして，斜板２３，３３と折込板２４，３４とによって，トレイ型の包装箱１００の四隅に，コーナーポストが形成される。
【００３４】
このように，本発明では，折込板２４，３４が，斜板２３，３３とのなす角が鋭角になる方向（コーナーポストの内方）に向かって折り返される。このため，折込板２４，３４は，斜板２３，３３とのなす角が鈍角になる方向よりも，斜板２３，３３とのなす角が鋭角になる方向に折り込み易いものであることが好ましい。具体的には，斜板２３，３３と折込板２４，３４の境界に形成された折線（Ｆ）に加工を施せばよい。例えば，折線（Ｆ）は，折込板２４，３４を鋭角に折り込み易いリード罫線とすることが好ましい。リード罫線とは，段ボールシートの片側を押圧して筋状に凹ませて押し罫線を形成し，その押し罫線上に沿って破状の切れ目であるミシン目を形成したものである。リード罫線は，押し罫線を形成した側に，段ボールシートを折り曲げ易いという性質がある。そこで，折線（Ｆ）をリード罫線とし，折込板２４，３４をコーナーポストの内方に向かって折り曲げ易い側に，押し罫線を形成することが好ましい。これにより，折込板２４，３４を適切な方向に折り込み易くなり，包装箱の組み立て作業，特にコーナーポストの組み立て作業が，さらに容易になる。
【００３５】
図４は，コーナーポストを拡大して示した平面図である。図４に示されるように，組み立て後の状態において，斜板２３，３３と折込板２４，３４のなす角θは，鋭角となる。例えば，角θは，３０度〜６０度，又は４０度〜５０度であることが好ましく，特に約４５度（±２度）であることが特に好ましい。このように，角θを４５度とすることで，三角筒状のコーナーポストの内部空間が，直角二等辺三角形となる。包装箱１００の四隅に形成するコーナーポストを，直角二等辺三角形とすることで，包装箱１００が荷崩れを起こしにくくなり，バランス良く積み上げることが可能になる。
【００３６】
また，図４に示されるように，斜板２３，３３の横幅Ｂ１は，前後の側面２０，３０から延出して，左右の側面４０，５０に達する長さであることが好ましい。すなわち，斜板２３，３３の横幅Ｂ１は，斜板２３，３３と折込板２４，３４の境界部分（すなわち折線Ｆ）が，左右の側面４０，５０に当接する長さであることが好ましい。このとき，斜板２３，３３と左右の側面４０，５０とのなす角も，約４５度（±２度）であることが特に好ましい。
【００３７】
また，図４に示されるように，折込板２４，３４の横幅Ｂ２は，斜板２３，３３との連接位置から，左右の側面４０，５０に沿って折れ曲がり，前後の側面２０，３０に達する長さであることが好ましい。すなわち，折込板２４，３４の横幅Ｂ２は，その先端部分が，前後の側面２０，３０に当接するものであることが好ましい。例えば，折込板２４，３４の横幅Ｂ２と，斜板２３，３３の横幅Ｂ１との関係は，Ｂ２：Ｂ１＝１：√２の関係を満たすことが最も好ましい。例えば，折込板２４，３４の横幅Ｂ２は，斜板２３，３３の横幅Ｂ１に対して，６０％〜８０％の値であることが好ましく，６８％〜７２％の値であることが特に好ましい。
【００３８】
上記のように，斜板２３，３３の長さＢ１と，折込板２４，３４の長さＢ２と，斜板２３，３３と折込板２４，３４のなす角θを規定することで，折込板２４，３４が，ピッタリとコーナーポストの内部空間に収まるようになる。つまり，折込板２４，３４の外面が，左右の側面４０，５０の内面に面接触すると共に，折込板２４，３４の先端部分が，前後の側面２０，３０の内面に当接する。これにより，組み立て時において，折込板２４，３４の位置がしっかりと固定されるようになる。その結果，コーナーポストが，意図せず解除されてしまうような不具合を防止できる。
【００３９】
続いて，本発明の包装箱１００のさらに好ましい実施形態について説明する。
図１に示されるように，トレイ型の包装箱１００のうち，左側面４０と右側面５０の両方又は少なくともいずれか一方には，破断線によって囲われた取外片が形成されていることが好ましい。図１に示した例では，左側面４０に，角が丸くなったコの字状の破断線４２と側縁とによって囲われた取外片４３が形成されている。すなわち，左側面４０を破断線４２に沿って破断させることにより，取外片４３が，左側面４０から切り離される。このように，左右の側面４０，５０の少なくともいずれか一方に，取外片４３を形成しておくことで，例えば，包装箱１００を複数個積み上げた際に，その包装箱１００に収容されている内容物を，左右の側面４０，５０側から確認することができるようになる。
【００４０】
また，図１に示されるように，トレイ型の包装箱１００のうち，前側面２０と後側面３０の両方又は少なくともいずれか一方にも，同様に，破断線によって囲われた取外片が形成されていることが好ましい。図１に示した例では，前側面２０側に，角が丸くなった矩形状の破断線２８によって囲われた取外片２９が形成されている。本発明において，前側面２０は，前外壁２１と前内壁２２による二重構造となるため，破断線２８は，前外壁２１と前内壁２２とに渡って形成される。すなわち，破断線２８は，前外壁２１と前内壁２２の間の折線（Ｄ）を基準とした線対称の形状となる。包装箱１００を組み立てた後であっても，破断線２８に沿って前外壁２１と前内壁２２を破断させることで，取外片２９を前側面２０から切り離すことができる。取外片２９を切り離すことで，前側面２０側から，包装箱１００に収容された内容物を確認できる。
【００４１】
また，図５には，本発明の包装箱１００の好ましい例が示されている。図５（ａ）及び図５（ｂ）は，左側面４０に形成された破断線４２及び取外片４３と，左側面４０側に形成されたコーナーポストを拡大して示した斜視図である。図５（ａ）では，左側面４０側に形成された２つのコーナーポストの間の距離が，符号Ｄ１で示されている。換言すると，距離Ｄ１は，左側面４０に面接触している前折込板２４と，左側面４０に面接触している後折込板３４の間の距離である。また，図５（ａ）では，左側面４０に形成されている破断線４２の前後方向（図５中の左右方向）の間の距離が，符号Ｄ２で示されている。このとき，コーナーポスト間の距離Ｄ１と，破断線４２の距離Ｄ２は，略等しい値であることが好ましい。例えば，コーナーポスト間の距離Ｄ１は，破断線４２の距離Ｄ２に対して，１００％〜１２０％であることが好ましい。なお，距離Ｄ１≧距離Ｄ２であることが好ましい。これにより，図５（ｂ）に示されるように，破断線４２に沿って左側面４０から取外片４３を切り離す作業が，コーナーポストによって阻害されることを防止できる。
【００４２】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００４３】
本発明は，青果物などを収容するのに適したトレイ型の包装箱に関する。このため，本発明は，包装箱の製造産業などにおいて好適に利用し得る。
【符号の説明】
【００４４】
１０…底面        １１…ロック孔
２０…前側面      ２１…前外壁      ２２…前内壁      ２３…前斜板
２４…前折込板    ２５…凸部        ２６…指掛け孔    ２７…タブ
２８…破断線      ２９…取外片
３０…後側面      ３１…後外壁      ３２…後内壁      ３３…後斜板
３４…後折込板    ３５…凸部        ３６…指掛け孔    ３７…タブ
４０…左側面      ４１…左挟込板    ４２…破断線      ４３…取外片
５０…右側面      ５１…右挟込板
１００…包装箱    Ａ〜Ｆ…折線
【図１】
2015016889.tif 000003
【図２】
2015016889.tif 000004
【図３】
2015016889.tif 000005
【図４】
2015016889.tif 000006
【図５】
2015016889.tif 000007